(57)【要約】      （修正有）【課題】異物混入及び収納物の飛び出しを防ぎ、また収納物の収納安定性且つ使い勝手がよく、高級感や奇抜性、バリエーションに富んだ低価格且つ自然にやさしいエコ商品としての手提げ用紙袋を提供する。【解決手段】手提紙紐１０と、ガゼット３付きの紙製の胴体部２とから成り、手提紙紐１０は、一端に結び目部１０ａを、他端にループ状の手提げ部とを備える一方、胴体部２は、開口部の両肩部を内側に折り込むように構成された左右折畳肩部６と、この上に折り込むように構成された中央折畳部７と、同中央折畳部７及び胴体部２に形成された手提紙紐１０を通すための貫通孔と、胴体部２の背面側の貫通孔上部に設けられた抑制片を備えた手提げ用紙袋。【選択図】図１
0003142985.tif 000002
【実用新案登録請求の範囲】
【請求項１】
手提紙紐と、ガゼット付きの紙製の胴体部とからなる手提げ用紙袋において、
上記手提紙紐は、一端に形成した結び目部と、他端に形成したループ状の手提げ部とを備える一方、紙製の胴体部は、胴体部を扁平状に畳んだ状態において開口部の両肩部を表面側において互いに内側に折り込むように構成された左右折畳肩部と、この左右折畳肩部を折り込んだ結果生じた台形状頂部を、上記左右折畳肩部の上に折り込むように構成された中央折畳部と、上記中央折畳部及び胴体部に互いに対応して形成された上記手提紙紐を通すための貫通孔と、胴体部の背面側且つ上記貫通孔上部に設けられた同貫通孔に表面側から背面側に挿通された手提紙紐をさらに通して同手提紙紐の動きを規制するための抑制片とを備えたことを特徴とする手提げ用紙袋。
【考案の詳細な説明】
【技術分野】
【０００１】
本考案は、買い物袋や贈答品等の収納袋として用いられるガゼット付きの手提げ用紙袋に関するものである。
【背景技術】
【０００２】
一般に、ガゼット付きの手提げ用紙袋は、非使用時には胴体部分を扁平状に畳んで保管することができる一方、使用時にはガゼット折りした両側面の伸張により胴体部を拡大して内部に多くの物品を収納することができるので、環境にやさしいエコ商品として買い物袋や贈答品等の収納袋として幅広く使用されている。しかし、使用時に開口部が開口状態であるため収納物が露出し他人に覗かれたり、異物の混入や倒れた際に収納物の飛び出しなどの問題があった。
【０００３】
このため、開口部を簡単に閉口できるようにした手提げ用紙袋が種々提案されている。例えば実開昭５６−１０９９３７号公報（特許文献１）、特開平１１−３４２９５４号公報（特許文献２）など提案されている。また、軟質シートを用いたものであるが簡易型として特開平７−１７５４５号公報（特許文献３）もある。
【０００４】
特許文献１は、紙袋の上部開口部に折込片と長孔を形成すると共に、長孔直下に同長孔に挿通する環状の緊縛紐の一端を固定し、折込片を折曲げた後、緊縛紐を長孔に挿通して緊縛して開口部を閉口するようにしたものである。
【０００５】
特許文献２は、紙袋の開口部の前後４箇所に形成した孔に環状の取手紐を設け、同取手紐を提げるだけで紐を緊縛して開口部を閉口するようにしたものである。
【０００６】
また、特許文献３は、袋状体の開口部周囲に設けた紐通し穴に１本の紐を通したもので、同紐を緊縛して開口部を閉口するようにしたものである。
【特許文献１】実開昭５６−１０９９３７号公報
【特許文献２】特開平１１−３４２９５４号公報
【特許文献３】特開平７−１７５４５号公報
【考案の開示】
【考案が解決しようとする課題】
【０００７】
しかしながら、特許文献１にあっては簡単に開口部を閉口でき好ましいが、比較的重い物品を収納すると、運搬時にその荷重が緊縛紐の固定部に集中するため、同固定部が破損して緊縛紐が取れてしまう虞があった。また、紙袋を床に置いた際折曲げられた折込片が元の状態に戻ろうと復帰回動すると緊縛紐が長孔から外れて開口部が開くと共に、倒れた際同開口部から収納物が飛び出ることは防止できないものであった。このため、長孔に挿通した緊縛紐を緊縛すればよいが、一々緊縛することは使用者にとって煩わしく面倒で、常に対応することはできない。
【０００８】
また、特許文献２は、比較的重い物品を運んでも、その負荷が４点に分散し、紙袋の開口部が破損する虞は少ないものの、床に置いた際取手紐が緩み開口部が開くと共に、倒れた際同開口部から収納物が飛び出ることは同じく防止できないものであった。このため、取手紐を引き出した後穿孔（大）に通せば、開口部を折り返し状態、即ち閉口状態に保持することは高まるものの、取手紐を引き出しさらに挿通孔に通すという２段階の操作を要し使い勝手が悪いものであった。
【０００９】
なお、特許文献３のように、袋状体の開口部の周囲に設けた紐通し穴に１本の紐を通し、この紐を引っ張って開口部を閉口することも考えられる。しかし、袋状体が軟質シートであればよいが、紙袋は所要の硬性を有しているため、紐を絞って開口部を閉じることは難しく、無理やり閉じると開口部分が折れ曲がり、その繰り返し動作によって袋状体が破損するため採用することができない。
【００１０】
また、これ等従来の手提げ用紙袋においては、ガゼット折りした両側面の伸張により胴体部を拡大して内部に多くの物品を収納することができる反面、収納物の安定性を欠き、例えば内部にビン類を収納した場合、ビン同士が自由に動き互いにぶつかって音がしたり、場合により割れる虞もあった。さらには、デザイン性も紙袋の材質や表面の印刷により高めるだけで、もっと贈答品等の手提げ用紙袋、例えば結婚式の披露宴での引き出物を収納するための手提げ用紙袋などにあっては、高級感やバリエーションに富んだ手提げ用紙袋が望まれていた。
【００１１】
本考案は、上述のような問題点に鑑みなされたもので、開口部が簡単に開いて収納物が露出し他人に覗かれたり、異物混入、倒れた際に収納物が飛び出る虞も招くことなく、また収納物の収納安定性且つ使い勝手がよく、デザインとしても高級感や奇抜性、バリエーションにも富み、低価格且つ自然にやさしいエコ商品としての手提げ用紙袋を提供するものである。
【課題を解決するための手段】
【００１２】
手提紙紐と、ガゼット付きの紙製の胴体部とからなる手提げ用紙袋において、
上記手提紙紐は、一端に形成した結び目部と、他端に形成したループ状の手提げ部とを備える一方、紙製の胴体部は、胴体部を扁平状に畳んだ状態において開口部の両肩部を表面側において互いに内側に折り込むように構成された左右折畳肩部と、この左右折畳肩部を折り込んだ結果生じた台形状頂部を、上記左右折畳肩部の上に折り込むように構成された中央折畳部と、上記中央折畳部及び胴体部に互いに対応して形成された上記手提紙紐を通すための貫通孔と、胴体部の背面側且つ上記貫通孔上部に設けられた同貫通孔に表面側から背面側に挿通された手提紙紐をさらに通して同手提紙紐の動きを規制するための抑制片とを備えたものである。
【考案の効果】
【００１３】
上記本考案に係る手提げ用紙袋は、左右折畳肩部を互いに表面側且つ内側に折り込むと共に、その上に中央折畳部を折り込むように構成し、同中央折畳部の中央部を手提紙紐にて締め込むようにしたものであるから、左右ガゼット部の広がりを抑制すると共に中央部位を締め付けて、内部収納物を胴体部を介して押さえ込む構成とすることができるので、収納物の収まりも安定し収納物が自由に動くのを未然に防止する。よって、安全に運搬でき、安心して使用できる。
【００１４】
また、中央折畳部が開口部の蓋となって開口部を開口するので、収納物が露出して他人に覗かれたり、異物の混入等を招く虞もない。
【００１５】
上記本考案に係る手提紙紐は、表面側から貫通孔を介して背面側に挿通された後抑制片に通してなるので、同紙紐の動きを規制し、運搬時紙袋が自由に動くのを防止する。また、手提紙紐が貫通孔と抑制片にて前後から挟持される構成となるので、床に置いた際手提紙紐がずり落ちることもない。よって収納物をより安定して運搬できると共に、開口部が勝手に開口するのを未然に防止し、更に、手提紙紐が紛失する虞もない。
【００１６】
また、手提紙紐が挿通される貫通孔部位は、胴体部と中央折畳部にて折り重ねられ４層構造となるので、同部位の強度を稼ぐことが可能で、同部分が簡単に破損するのを防止できる。
【００１７】
また、紙袋本体も左右折畳肩部及び中央折畳部の折り込み形状や、手提紙紐の一端に形成した結び目部をいろいろな飾り結びとすることにより、デザインとしても高級感且つ奇抜性に富み、またバリエーションに溢れた手提げ用紙袋を提供することができる。さらには、紙袋の材質及び表面印刷などとの相乗効果により、お店や商品のイメージの向上を著しく高めることができる。
【００１８】
また、これ等手提紙紐及び紙袋本体も、全て紙製で自然にやさしいエコ商品として、且つ簡単な構成にして安価に提供することができる。
【考案を実施するための最良の形態】
【００１９】
以下、本考案の一実施例について、図に基づいて以下詳細に説明する。図１は本考案の手提げ用紙袋の使用状態を示す斜視図。図２は本考案の手提げ用紙袋の概念を示す表面側から見た正面図、図３は本考案の収納物の出し入れ状態を示す手提げ用紙袋の胴体部の背面側から見た図、図４は本考案の貫通孔部位を示す要部断面図、図５は本考案の手提げ用紙袋の収納状態を示し、（ａ）は正面一部断面図、（ｂ）は縦断面図、（ｃ）は横断面図である。
【００２０】
図中、１は手提げ用紙袋本体。２は手提げ用紙袋本体１の胴体部で、天然紙や合成紙などから構成してなり、同胴体部２の左右側部にはガゼット部３が形成され、下部側の一端を胴体部２の底部を構成する角底部４により閉塞する一方、上部側の他端を物品を出し入れするための開口部５にて全面開口してなる。なお、上記胴体部２は汗、雨などの対策として、ラミネート紙などの加工紙を用いて素材に撥水効果をもたせるのもよいし、耐久性を向上させるために原紙を多層構造としてもよい。また、贈答品など手提げ用紙袋とする場合には、例えば和紙などを使用して高級感をもたせることにより、結婚式の披露宴等の引き出物用の手提げ用紙袋として好ましい。また、上記胴体部２と角底部４は後述するように１枚の原紙を折り曲げて、各折り代片を接着することにより一体的に形成している。
【００２１】
６は図２に示すように胴体部２を扁平状に畳んだ状態で開口部５の両肩部ａを互いに表面側２ｂにおいて内側に折り込むように構成された左右折畳肩部。７はこの左右折畳肩部６を折り込んだ結果生じた台形状頂部ｂを、同じく左右折畳肩部６上に重ねるように折り込み構成された中央折畳部である。８はこの中央折畳部７のほぼ中央部位に形成した第１貫通孔、９は胴体部２上部に位置して上記中央折畳部７折り込み時に第１貫通孔８に対応して形成した第２貫通孔で、同第１貫通孔８及び第２貫通孔９は、中央折畳部７折り込み時に互いに対峙するようにしてなる。
【００２２】
１０は上記第１貫通孔８と第２貫通孔９に挿通する紙製の手提紙紐で、平紐から構成して成り、図１及び図２に示すようにその一端に形成した例えば飾り結びなどの結び目１０ａと、他端に形成したループ状の手提げ部１０ｂとから成り、左右折畳肩部６及び中央折畳部７を折り込んだ状態においてその手提げ部１０ｂを第１・第２貫通孔８・９を介して表面側２ｂから背面側２ａに挿通する。１１は上記胴体部２の背面側において第２貫通孔９上部に位置して設けた手提紙紐１０の動きを規制するための抑制片である。
【００２３】
なお、中央折畳部７が折り込まれた状態においては、図４に示すように手提紙紐１０の結び目１０ａが係止される貫通孔８・９部位は胴体部２及び中央折畳部７にて４重構造となるため所要の強度を十分保つことができるが、手提げ用紙袋本体１の原紙の材質や、予定収納物の重量を考慮して、同図４に示すように貫通孔８・９の縁部を補強するための補強紙１２を必要に応じて備えてもよい。また、貫通孔８・９に取着する補強紙１２は、図３に示すように○形状や図１３に示すように△形状の他、□、О、☆、キャラクターをデザインした形状としてもよく、さらに、図４に示すように平紐１０の結び目部１０ａの荷重が直接かかる第１貫通孔８側の補強紙１２ａの大きさを第２貫通孔９側の補強紙１２ｂに比し大とし強度を強くすると望ましい。
【００２４】
また、胴体部２の表面側２ｂには必要に応じて例えば図１に示すように好みの模様や販売店名等の印刷１３を施してもよい。
【００２５】
以上の構成において、その使用時について以下説明する。図２に示すように手提紙紐１０の結び目部１０ａ側を引っ張って第１、第２貫通孔８・９から外した後、同図２中において中央折畳部７を反矢印方向に、次に左右折畳肩部６を反矢印方向にそれぞれ開き、図３に示すように開口部５を開口して内部に収納物、例えば衣類やビン類などを収納する。しかる後、今度は逆に左右折畳肩部６を矢印方向に、次に中央折畳部７を矢印方向にそれぞれ折り込む。そして、図２に示すように手提紙紐１０の手提げ部１０ｂを第１、第２貫通孔８・９を介して表面側２ａから背面表面側２ｂに挿通し、さらに抑制片１１に通す。この状態で手提げ部１０ｂを持ち上げると、内容物の重量により手提紙紐１０が図４中矢印方向に引っ張られ、結び目部１０ａがストッパーになって胴体部２と中央折畳部７が密着するため、中央折畳部７が蓋となって確実に開口部５を閉塞する。この際、手提紙紐１０は抑制片１１にて図１中左右方向への動きを規制されるため、手提げ紙袋本体１は自由に動くこともなく安定して運搬可能となる。
【００２６】
また、手提げ用紙袋本体１を床に置いても、図４に示すように手提紙紐１０の手提げ部１０ｂは抑制片１１にてその動きを阻止されるため、貫通部８・９と抑制片１１とで前後から挟持される構成となり、同貫通孔８・９部位で折り曲げられた状態で保持されるので、中央折畳部７が開くのを阻止すると同時に、手提紙紐１０の脱落を防止する。よって、開口部５が開口し外から中に何が入っているか覗かれたり、異物の混入、更には本体１が倒れた際に収納物が飛び出るのも防止することができると共に、手提紙紐１０の紛失も未然に防止することができる。
【００２７】
収納物を取り出す場合には、上記同様手提紙紐１０の結び目部１０ａ側を引っ張って貫通孔８・９から引き抜き、中央折畳部７及び左右折畳肩部６を開いて開口部５を開口して収納物を取り出す。
【００２８】
ここで、袋内に収納物を収納した状態においては、図５（ａ）、（ｂ）、（ｃ）に示すように左右折畳肩部６の折り込みと、手提紙紐１０による中央折畳部７の締め付けにより、上部左右及び中央から左右ガゼット部３・３の広がりを抑制すると同時に中央を締め付けてなるので、内部の収納物は胴体部２を介して包み込まれるように押さえられ、収納物の移動や転がりによる袋のたわみを防止する。よって、収納物の収まりも安定し、例えばビン類を収納時、互いにぶつかって音がしたり破損するのを極力防止し、安定して運搬できる。
【００２９】
次に以上のように構成される手提げ用紙袋本体１の製造方法を図６乃至図１２を用いて説明する。先ず、図６に示すように紙袋の材料となりうる方形状の原紙２０を用意し、２箇所に山折り線２１と谷折り線２２を図７に示す形状になるように折り曲げ、胴のり代部２３に接着剤を塗布、接着し、ガゼット部３を形成する。次に図８に示すように下部側の一端を八角形状に折り込み、底部折り代片４ａ、４ａを図９に示すように順次折り重ねて接着し角底部４を形成する。
【００３０】
そして、上部側の他端に、図１０に示すように開口部５の左右肩部ａ、ａに位置して斜めに折り曲げ線２４をそれぞれ形成し、同折り曲げ線２４に沿って折り込み図１０、図１１に示す左右折畳肩部６、６を構成すると共に、図１１に示すように中央部位に台形状頂部ｂを形成する。しかる後、同図１１に示すように上端より所要間隔Ｌ１を有して折り曲げ線２５を形成し、同折り曲げ線２５に沿って折り込み図１２に示すように中央折畳部７を構成して成型させる。
【００３１】
なお、図１１に示すセンターラインＳ上、且つ上記折り曲げ線２５に対してほぼ同一間隔Ｌ２をおいて上下に手提紙紐１０の幅とほぼ同一とした中央折畳部７側に第１貫通孔８を、胴体部２側に第２貫通孔９を形成する。また、必要に応じて上述した補強紙１２を貼着する。これによって、中央折畳部７を折りたたみ線２５に沿って折り込んだ際、第１貫通孔８と第２貫通孔９は互いに対峙し平紐１０を表面側２ｂから背面側２ａ側に挿通することができる。
【００３２】
次に、胴体部２の背面側２ａにおいて、図１２に示すように貫通孔９上部に位置して抑制片１１を取り付ける。
なお、底部補強紙は、底部の強度をさらに確保するために、底部表面に貼り合わせても、内側に挿しこんでもよい。さらに、上記２つの補強紙を併用してもよい。
【００３３】
一方手提紙紐１０は、平紐の中央部を折り曲げて一端側となるループ状の手提げ部１０ｂを形成する一方、他方自由端側に紐を組んで上記貫通孔８・９より大なる結び目部１０ａを形成する。なお、この結び目部１０ａを紙袋の使用用途に応じて適宜な飾り結びに形成する。例えば図１に示すような菊結び等の種々の飾り結びとすると、紙袋全体としてより高級感や斬新さを付与することができる。このほか亀や鶴などの形状に結び目を形成すると披露宴などの引き出物用として有用である。なお、手提紙紐１０を平紐で構成することにより、手提げ部１０ｂが平たく持ちやすいと共に、貫通孔８・９への挿入操作性がよいが、紙製の丸紐であってもよい。
【００３４】
上記結び目部１０ａのバリエーションはもとより、左右折畳肩部６及び中央折畳部７の折り込み形状と相まって高級感且つ奇抜性に溢れた、なおかつバリエーション豊富な手提げ用紙袋を提供できる。さらに、紙袋の材質や表面側への印刷等との相乗効果によって、お店や商品のイメージを著しく向上させることができる。しかもこれ等は全て紙を使い、金属、硬質プラスチックなどを一切使わないエコ商品で、安価に提供することができる。
【産業上の利用可能性】
【００３５】
買い物袋や贈答品等の収納袋として使用するガゼット付きの手提げ用紙袋に適用できる。
【図面の簡単な説明】
【００３６】
【図１】本考案に係る手提げ用紙袋の使用状態を示す斜視図。
【図２】本考案に係る手提げ用紙袋の概念を示す表面側から見た正面図。
【図３】本考案に係る手提げ用紙袋の収納物の出し入れ状態を示す背面側から見た図。
【図４】本考案に係る手提げ用紙袋の貫通孔部位を示す要部断面図。
【図５】本考案に係る手提げ用紙袋の収納物の収納状態を示し、（ａ）は正面一部断面図、（ｂ）は縦断面図、（ｃ）は横断面図。
【図６】図１のリュックサック型紙袋を製造するのに用いる原紙を示した平面図。
【図７】図６の原紙を筒状にした状態を示す斜視図。
【図８】図７の筒状体の一端に台形状の角底部を形成する過程を示す図。
【図９】図８の工程を経て筒状体の一端に角底部を形成された状態を示す図。
【図１０】図９の角底部が形成された筒状体の他端に左右折畳肩部を形成する工程を示す図。
【図１１】図１０の工程を経て中央折畳部を形成する状態を示す図。
【図１２】本考案に係る手提げ用紙袋本体を形成した状態を示し、（ａ）は表面側から見た正面図、（ｂ）は背面側から見た正面図。
【図１３】本考案に係る手提げ用紙袋本体の補強紙の他の実施例を示す図。
【符号の説明】
【００３７】
１  本体
２  胴体部
２ａ  背面側
２ｂ  表面側
３  ガゼット部
４  角底部
４ａ  底部折り代片
５  開口部
６  左右折畳肩部
７  中央折畳部
８  第１貫通孔
９  第２貫通孔
１０  手提紙紐
１０ａ  結び目部
１０ｂ  手提げ部
１１  抑制片
１２  補強紙
１３  広告部
２０  原紙
２１  山折り線
２２  谷折り線
２３  胴のり代部
２４、２５  折り曲げ線
ａ  肩部
ｂ  台形状頂部
Ｓ  センターライン
Ｌ１、Ｌ２  間隔
【図１】
0003142985.tif 000003
【図２】
0003142985.tif 000004
【図３】
0003142985.tif 000005
【図４】
0003142985.tif 000006
【図５】
0003142985.tif 000007
【図６】
0003142985.tif 000008
【図７】
0003142985.tif 000009
【図８】
0003142985.tif 000010
【図９】
0003142985.tif 000011
【図１０】
0003142985.tif 000012
【図１１】
0003142985.tif 000013
【図１２】
0003142985.tif 000014
【図１３】
0003142985.tif 000015